(57)【要約】【課題】防水性・防滴性に優れると共に、操作部品とパネルとの締着状態を強固に保持する操作部品の取付構造を提供する。【解決手段】操作部品の取付構造に、操作部品本体４の回転シャフト６をガイドすると共にパネル１の取付孔１ａに挿通されるガイド部材５を備え、このガイド部材５の外周面に雄ねじ５ａを形成してなる操作部品３と、ナット本体２ａの外周面から外周方向に延出されたフランジ部２ｂを備え、雄ねじ５ａに螺合される雌ねじ２ｃを形成してなるナット２とを設け、パネル１の取付孔１ａの周囲に防水部材７を配置し、ガイド部材５の雄ねじ５ａにナット２の雌ねじ２ｃを螺合させた状態で、防水部材７をパネル１とフランジ部２ｂとの間に挟持する。【選択図】図１
2007162812.tif 000002
【特許請求の範囲】
【請求項１】
操作部品本体の回転シャフトをガイドすると共にパネルの取付孔に挿通されるガイド部材を備え、このガイド部材の外周面に雄ねじを形成してなる操作部品と、
ナット本体の外周面から外周方向に延出されたフランジ部を備え、前記雄ねじに螺合される雌ねじを形成してなるナットと、
を備え、
前記パネルの取付孔の周囲に防水部材が配置され、前記ガイド部材の雄ねじに前記ナットの雌ねじを螺合させた状態で、前記防水部材が前記パネルと前記フランジ部との間に挟持されていることを特徴とする操作部品の取付構造。
【請求項２】
前記防水部材は弾性体によって構成されていることを特徴とする請求項１記載の操作部品の取付構造。
【発明の詳細な説明】
【技術分野】
【０００１】
本発明は操作部品の取付構造に関する。
【背景技術】
【０００２】
従来から、ボリューム、ロータリエンコーダ、スイッチなどの回転式操作部品をパネルに取り付ける取付構造として、図２に示すように、ナットによって回転式操作部品をパネルに固定する取付構造が知られている。すなわち、図２に示す操作部品の取付構造は、ガイド部材１５にガイドされたシャフト１６を回転自在に支持する操作部品本体１４を備えた回転式操作部品１３と、ガイド部材１５の外周面に形成された雄ねじ１５ａに螺合する雌ねじ１２ａが形成されたナット１２とを備え、パネル１１の取付孔１１ａに挿通されたガイド部材１５の雄ねじ１５ａにナット１２の雌ねじ１２ａを螺合させることにより、操作部品本体１４とナット１２とでパネル１１を挟んだ状態で回転式操作部品１３をパネル１１に締着する構造となっている。
【０００３】
また、回転式操作部品を防水・防滴する必要があることから、パネルの孔から水や滴を浸入させないための防水部材を設けた操作部品の取付構造が提案されている。例えば、図２の従来例において、ナット１２とパネル１１との間に図示しない防水部材を介在させた操作部品の取付構造が知られている。
【０００４】
また、例えば、図３に示すように、ガイド部材１５に螺合されたナット１２の周辺に防水部材１７を設置し、防水部材１７の上部及びパネル１１を覆うパネル１１ｂを設けた操作部品の取付構造が知られている。この構造によれば、ナット１２の周辺より外側に防水ラインが形成され、パネル１１の取付孔１１ａに水や滴が浸入するのを防止することができる。
【０００５】
また、特許文献１には、上部に４個のボスが形成され、下部に先端が円形状となるスカート状のヘラが形成されたパッキングによって、シャフトの軸受部の防滴を行う操作部品の取付構造が記載されている。
【特許文献１】特開２００３−００４１４４号公報
【発明の開示】
【発明が解決しようとする課題】
【０００６】
しかしながら、図２、図３又は特許文献１に記載の操作部品の取付構造では、ナットの座面から水や滴が侵入するのを防止することはできなかった。また、ナットとパッキングとは接しているが、一体となるように密着して設置されていないため、パッキングの取付位置のばらつきなどによって安定した防水・防滴効果が得られない場合があるという問題があった。
【０００７】
また、ナットによって回転式操作部品を固定する工程とは別に、パッキングを取り付ける工程を設ける必要があったことから、パッキングを取り付ける際にナットが緩む場合があるという問題があった。
【０００８】
また、図２、図３又は特許文献１に記載の操作部品の取付構造は、いずれも回転式操作部品とナットとでパネルを挟んだ状態となるように回転式操作部品をパネルに締着する構造となっており、落下などの衝撃によりパネル割れが発生しやすいという問題があった。
【０００９】
本発明は前記事情に鑑みてなされたものであり、その目的とするところは、防水性・防滴性に優れると共に、締着状態を強固に保持する操作部品の取付構造を提供することにある。
【課題を解決するための手段】
【００１０】
前記課題を解決するために請求項１に記載の発明は、操作部品の取付構造であって、操作部品本体の回転シャフトをガイドすると共にパネルの取付孔に挿通されるガイド部材を備え、このガイド部材の外周面に雄ねじを形成してなる操作部品と、ナット本体の外周面から外周方向に延出されたフランジ部を備え、前記雄ねじに螺合される雌ねじを形成してなるナットと、を備え、前記パネルの取付孔の周囲に防水部材が配置され、前記ガイド部材の雄ねじに前記ナットの雌ねじを螺合させた状態で、前記防水部材が前記パネルと前記フランジ部との間に挟持されていることを特徴とする。
【００１１】
請求項２記載の発明は、請求項１記載の操作部品の取付構造であって、前記防水部材は弾性体によって構成されていることを特徴とする。
【発明の効果】
【００１２】
本発明に係る操作部品の取付構造によれば、ナット本体及びフランジ部から構成されるナットの使用により、ナットを軸受のねじに螺合させる際に、防水部材をフランジ部とパネルとに密着させることができる。これにより、回転式操作部品をパネルに締着すると防水部材がパネル及びフランジ部と共に防水ラインを形成することから、パネルの孔に水や滴が浸入するのを防止することが可能となる。
【００１３】
このように、防水部材はパネル及びナットのフランジ部と一体となるように密着して防水ラインを形成することから、防水部材の取付位置のばらつきなどに影響を受けることはなく安定した防水・防滴効果を得ることが可能となる。
【００１４】
また、本発明のナットは、パネルの孔に挿通されるナット本体を備えており、ナットはナット本体において広い面積で軸受のねじと螺合することから、従来例のように、ナットと操作部品本体とでパネルを挟むようにして回転式操作部品を締着する場合と比較して、回転式操作部品の締着状態を強固に保持することができる。
【００１５】
以上より本発明によれば、防水性・防滴性に優れると共に、操作部品とパネルとの締着状態を強固に保持する操作部品の取付構造を提供することが可能となる。
【発明を実施するための最良の形態】
【００１６】
以下、図面を参照しつつ、本発明の実施の形態について説明する。
【００１７】
図１は、本実施形態に係る回転式操作部品３をパネル１に取り付けるための取付構造を示す断面図である。パネル１には、回転式操作部品３を取り付けるための取付孔１ａが形成されている。
【００１８】
図１に示すように、本実施形態の回転式操作部品３は、ガイド部材５にガイドされたシャフト６を回転自在に支持する操作部品本体４を備えて構成されている。
【００１９】
回転式操作部品３において、シャフト６をガイドするガイド部材５の径はパネル１の取付孔１ａの径より小さく、また、操作部品本体４の径はパネル１の取付孔１ａの径より大きく形成されている。これにより、ガイド部材５がパネル１の取付孔１ａに挿通された状態で、ガイド部材５が設けられた操作部品本体４の上面は、パネル１の一面に当接するようになっている。また、ガイド部材５の外周面には雄ねじ５ａが形成されている。
【００２０】
ナット２は、略円筒状のナット本体２ａと、ナット本体２ａの一端面の縁部からナット本体２ａの軸方向と直交する方向に延在するフランジ部２ｂとを備えて構成されている。ナット本体２ａの径はパネル１の取付孔１ａに挿通できる大きさとされており、また、ナット２は全体として、回転式操作部品３がパネル１に締着された状態で、ナット本体２ａの他端面が操作部品本体４の上面に当接する高さ寸法とされている。
【００２１】
また、ナット本体２ａの内壁には、ガイド部材５の雄ねじ５ａが螺合する雌ねじ２ｃが形成されており、雌ねじ２ｃを雄ねじ５ａに螺合させることによって、回転式操作部品３がパネル１に締着される構成となっている。
【００２２】
また、パネル１の取付孔１ａの周辺であって、フランジ部２ｂとパネル１との間には防水部材７が設置されており、ガイド部材５の雄ねじ５ａにナット２の雌ねじ２ｃが螺合された状態で、防水部材７がフランジ部２ｂ及びパネル１に密着するようになっている。この防水部材７は弾性体で構成されており、本実施形態では防水部材７としてゴム製のＯリングを使用している。これにより、パネル１、フランジ部２ｂ及び防水部材７で防水ラインが形成され、パネル１の孔への水や滴の侵入を防止する構成となっている。
【００２３】
次に、本実施形態の作用について説明する。
【００２４】
まず、パネル１に形成された取付孔１ａの周辺に防水部材７を設置する。
【００２５】
次に、パネル１のうち、防水部材７が設置されていない一面側から回転式操作部品３のガイド部材５をパネル１の孔に挿通する。
【００２６】
続いて、パネル１の他面側からナット２のナット本体２ａをパネル１の孔に挿通する。このとき、防水部材７はフランジ部２ｂとパネル１との間に位置する。
【００２７】
次に、ナット本体２ａの内壁に形成された雌ねじ２ｃを、防水部材７の外周面に形成された雄ねじ５ａに螺合させる。これにより、回転式操作部品３はパネル１に締着される。
【００２８】
このとき、防水部材７はフランジ部２ｂとパネル１とに密着され、パネル１の取付孔１ａへの水や滴の侵入を防止する防水ラインを形成する。
【００２９】
以上のように、本実施形態に係る回転式操作部品３の取付構造によれば、ナット本体２ａ及びフランジ部２ｂから構成されるナット２の使用により、ナット２をガイド部材５のねじに螺合させる際に、防水部材７をフランジ部２ｂとパネル１とに密着させることができる。これにより、回転式操作部品３をパネル１に締着すると防水部材７がパネル１及びフランジ部２ｂと共に防水ラインを形成することから、パネル１の孔に水や滴が浸入するのを防止することが可能となる。
【００３０】
このように本実施形態では、防水部材７はパネル１及びナット２のフランジ部２ｂと一体となるように密着して防水ラインを形成することから、防水部材１７の取付位置のばらつきなどに影響を受けることはなく安定した防水・防滴効果を得ることが可能となる。
【００３１】
また、本実施形態のナット２は、パネル１の孔に挿通されるナット本体２ａを備えており、ナット２はナット本体２ａにおいて広い面積でガイド部材５のねじと螺合することから、図２又は図３の従来例に示すように、ナット１２と操作部品本体１４とでパネル１１を挟むようにして回転式操作部品１３を締着する場合と比較して、回転式操作部品３の締着状態を強固に保持することができる。
【００３２】
また、本実施形態のナット２はフランジ部２ｂを備えており、フランジ部２ｂとパネル１との間に防水部材７を介在させることから、図２の従来例においてナット１２とパネル１１との間に防水部材を介在させる場合と比較して、弾性体により構成される防水部材７の経時的劣化によりナットが緩むことはなく、回転式操作部品３の締着状態を強固に保持することが可能となる。
【００３３】
また、パネル１とフランジ部２ｂとの間に弾性体により構成される防水部材７を介在させることによって、落下などによる衝撃を吸収し、パネル１及び回転式操作部品３の破損を防ぐという効果を得ることもできる。
【００３４】
なお、本発明の操作部品は回転式操作部品に限らず、ナット止めを要する操作部品であれば本発明の取付構造を適用することが可能である。
【００３５】
以上詳細に説明したように、本発明の操作部品の取付構造によれば、防水性・防滴性に優れると共に、締着状態を強固に保持する操作部品の取付構造を提供することが可能となる。
【図面の簡単な説明】
【００３６】
【図１】本実施形態に係る操作部品の取付構造を示す断面図である。
【図２】従来の操作部品の取付構造を示す断面図である。
【図３】従来の防水部材を備えた操作部品の取付構造を示す断面図である。
【符号の説明】
【００３７】
１  パネル
１ａ  取付孔
２  ナット
２ａ  ナット本体
２ｂ  フランジ部
２ｃ  雌ねじ
３  回転式操作部品
４  操作部品本体
５  ガイド部材
５ａ  雄ねじ
６  シャフト
７  防水部材
１１  パネル
１１ａ  取付孔
１１ｂ  パネル
１２  ナット
１２ａ  雌ねじ
１３  回転式操作部品
１４  操作部品本体
１５  ガイド部材
１５ａ  雄ねじ
１６  シャフト
１７  防水部材
【図１】
2007162812.tif 000003
【図２】
2007162812.tif 000004
【図３】
2007162812.tif 000005